【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
空気調和機に内蔵されたエアーフィルターに摺接して、前記エアーフィルターに付着した塵埃を除去するブラシ体と、前記ブラシ体を、前記エアーフィルターの表面に沿って往復移動させる移動手段を備え、前記ブラシ体は回転軸を有するものであって、前記ブラシ体の回転軸にたいして垂直方向の中心線と前記エアーフィルターの表面とがなす角度を、前記ブラシ体の移動時の往路と復路とで異ならせたことを特徴とする清掃具。
【請求項２】
往路時のブラシ体の回転軸にたいして垂直方向の中心線とエアーフィルターの表面とがなす角度を略９０度とすると共に、前記ブラシ体を、往路時の移動方向側に揺動自在に設けた請求項１に記載の清掃具。
【請求項３】
移動手段は、ブラシ体をエアーフィルターの表面に沿って上下に往復移動させると共に、前記ブラシ体が下方に移動するときの、前記ブラシ体の回転軸にたいして垂直方向の中心線と移動方向側の前記エアーフィルターの表面とがなす角度を略９０度とし、前記ブラシ体が上方に移動するときの、前記ブラシ体の回転軸にたいして垂直方向の中心線と移動方向側の前記エアーフィルターの表面とがなす角度を９０度より小さくしたことを特徴とする請求項１又は２に記載の清掃具。
【請求項４】
ブラシ体で除去され落下する塵埃を受けるダストケースを、エアーフィルターの下端の下方に設けた請求項３に記載の清掃具。
【請求項５】
空気調和機に内蔵されたエアーフィルターに付着した塵埃を除去するブラシ体と、前記ブラシ体を、前記エアーフィルターの表面に沿って往復移動させる移動手段を備え、前記ブラシ体を一方向に移動させるときに、前記ブラシ体を前記エアーフィルターに摺接させ、前記ブラシ体を前記一方向とは反対方向に移動させるときに前記ブラシ体を前記エアーフィルターより離反させることを特徴とする清掃具。
【請求項６】
請求項１〜５のいずれか1項に記載された清掃具と、吸引される室内の空気中に含まれる塵埃を捕獲するエアーフィルターとを備え、該エアーフィルターを、前記清掃具で清掃するようにした空気調和機。
【手続補正２】
【補正対象書類名】明細書
【補正対象項目名】００１３
【補正方法】変更
【補正の内容】
【００１３】
前記従来の課題を解決するために、本発明の清掃具は、空気調和機に内蔵されたエアーフィルターに摺接して、前記エアーフィルターに付着した塵埃を除去するブラシ体と、前記ブラシ体を、前記エアーフィルターの表面に沿って往復移動させる移動手段を備え、前記ブラシ体は回転軸を有するものであって、前記ブラシ体の回転軸にたいして垂直方向の中心線と前記エアーフィルターの表面とがなす角度を、前記ブラシ体の移動時の往路と復路とで異ならせたもので、例えば、ブラシ体の回転軸にたいして垂直方向の中心線とブラシ体の移動方向側のエアーフィルターの表面とがなす角度を、往路の際に、略９０度とし、復路の際に、その角度より小さくすれば、往路のときは、エアーフィルターの塵埃を効果的に移動方向に掃き寄せることができ、また、復路の際は、ブラシ体でエアーフィルターの表面を撫でるだけなので、エアーフィルターの表面に塵埃が残っていても、それを反対方向に掃き寄せることが無く、安価な構成で、清掃性能に優れた清掃具を提供することができる。
【手続補正３】
【補正対象書類名】明細書
【補正対象項目名】００１４
【補正方法】変更
【補正の内容】
【００１４】
また、本発明の清掃具は、空気調和機に内蔵されたエアーフィルターに付着した塵埃を除去するブラシ体と、前記ブラシ体を、前記エアーフィルターの表面に沿って往復移動させる移動手段を備え、前記ブラシ体を一方向に移動させるときに、前記ブラシ体を前記エアーフィルターに摺接させ、前記ブラシ体を前記一方向とは反対方向に移動させるときに前記ブラシ体を前記エアーフィルターより離反させるもので、ブラシ体をエアーフィルターに摺接させながら一方向に移動させることにより、エアーフィルターに付着した塵埃を効果的に同方向に掃き寄せることができ、また、前記一方向とは反対方向にブラシ体を移動させるときは、ブラシ体がエアーフィルターから離反しているので、エアーフィルターの表面に万が一塵埃が残っていても、それが反対方向に掃き寄せられることが無く、清掃性能に優れた清掃具を提供することができる。
【手続補正４】
【補正対象書類名】明細書
【補正対象項目名】００１５
【補正方法】変更
【補正の内容】
【００１５】
また、本発明の空気調和機は、請求項１〜５のいずれか1項に記載された清掃具と、吸引される室内の空気中に含まれる塵埃を捕獲するエアーフィルターとを備え、該エアーフィルターを、前記清掃具で清掃するようにしたもので、エアーフィルターを自動で且つ効率よく清掃することができる空気調和機を提供することが出来る。
【手続補正５】
【補正対象書類名】明細書
【補正対象項目名】００１７
【補正方法】変更
【補正の内容】
【００１７】
第１の発明は、 空気調和機に内蔵されたエアーフィルターに摺接して、前記エアーフィルターに付着した塵埃を除去するブラシ体と、前記ブラシ体を、前記エアーフィルターの表面に沿って往復移動させる移動手段を備え、前記ブラシ体は回転軸を有するものであって、前記ブラシ体の回転軸にたいして垂直方向の中心線と前記エアーフィルターの表面とがなす角度を、前記ブラシ体の移動時の往路と復路とで異ならせたもので、例えば、ブラシ体の回転軸にたいして垂直方向の中心線とブラシ体の移動方向側のエアーフィルターの表面とがなす角度を、往路の際に、略９０度とし、復路の際に、その角度より小さくすれば、往路のときは、エアーフィルターの塵埃を効果的に移動方向に掃き寄せることができ、また、復路の際は、ブラシ体でエアーフィルターの表面を撫でるだけなので、エアーフィルターの表面に塵埃が残っていても、それを反対方向に掃き寄せることが無く、安価な構成で、清掃性能に優れた清掃具を提供することができる。
【手続補正６】
【補正対象書類名】明細書
【補正対象項目名】００１８
【補正方法】変更
【補正の内容】
【００１８】
第２の発明は、特に、第１の発明の往路時のブラシ体の回転軸にたいして垂直方向の中心線とエアーフィルターの表面とがなす角度を略９０度とすると共に、前記ブラシ体を、往路時の移動方向側に揺動自在に設けたもので、より簡単な構成で、往路の際には、エアーフィルターの塵埃を効果的に移動方向に掃き集め、復路の際には、ブラシ体がエアーフィルターの表面に沿って傾斜するので、エアーフィルターの表面を撫でるだけになり、残った塵埃を反対方向に掃き寄せることが無く、清掃性能に優れた清掃具を提供することができる。
【手続補正７】
【補正対象書類名】明細書
【補正対象項目名】００１９
【補正方法】変更
【補正の内容】
【００１９】
第３の発明は、特に、第１又は第２の発明の移動手段は、ブラシ体をエアーフィルターの表面に沿って上下に往復移動させると共に、前記ブラシ体が下方に移動するときの、前記ブラシ体の回転軸にたいして垂直方向の中心線と移動方向側の前記エアーフィルターの表面とがなす角度を略９０度とし、前記ブラシ体が上方に移動するときの、前記ブラシ体の回転軸にたいして垂直方向の中心線と移動方向側の前記エアーフィルターの表面とがなす角度を９０度より小さくしたもので、ブラシ体が下方に移動する往路の際には、エアーフィルターの塵埃を効果的に下方に自然落下させ、復路の際には、ブラシ体がエアーフィルターの表面に対して傾斜し、エアーフィルターの表面を撫でるだけで、塵埃を上方に掃き寄せることが無い、清掃性能に優れた清掃具を提供することができる。
【手続補正８】
【補正対象書類名】明細書
【補正対象項目名】００２１
【補正方法】変更
【補正の内容】
【００２１】
第５の発明は、空気調和機に内蔵されたエアーフィルターに付着した塵埃を除去するブラシ体と、前記ブラシ体を、前記エアーフィルターの表面に沿って往復移動させる移動手段を備え、前記ブラシ体を一方向に移動させるときに、前記ブラシ体を前記エアーフィルターに摺接させ、前記ブラシ体を前記一方向とは反対方向に移動させるときに前記ブラシ体を前記エアーフィルターより離反させるもので、ブラシ体をエアーフィルターに摺接させながら一方向に移動させることにより、エアーフィルターに付着した塵埃を効果的に同方向に掃き寄せることができ、また、前記一方向とは反対方向にブラシ体を移動させるときは、ブラシ体がエアーフィルターから離反しているので、エアーフィルターの表面に万が一塵埃が残っていても、それが反対方向に掃き寄せられることが無く、清掃性能に優れた清掃具を提供することができる。
【手続補正９】
【補正対象書類名】明細書
【補正対象項目名】００２２
【補正方法】変更
【補正の内容】
【００２２】
第６の発明は、請求項１〜５のいずれか1項に記載された清掃具と、吸引される室内の空気中に含まれる塵埃を捕獲するエアーフィルターとを備え、該エアーフィルターを、前記清掃具で清掃するようにしたもので、エアーフィルターを自動で且つ効率よく清掃することができる空気調和機を提供することが出来る。
以下、本発明の実施の形態について、図面を参照しながら説明する。なお、この実施の形態によって本発明が限定されるものではない。
（実施例１）